(57)【要約】【課題】台間球貸機から遊技機の球受皿に遊技球を供給する球供給管であって、球受皿が低位置にあっても遊技球がこぼれるおそれなく誘導できるようにすると共に、非使用時に前方に張り出すことなく折り畳み得るようにする。【解決手段】台間球貸機３の前面に前方に向かって緩やかに傾斜した第１ノズル９を水平面内で回転自在であって上方に跳ね上げ可能に枢着すると共に、第２ノズル１４を該第１ノズルの先端部に折り曲げ可能となるように垂下状に枢着する。折り曲げ時に球流路内に突出し遊技球の流出を阻止する球止片１９ａ，１９ｂを第２ノズルの上端縁に設ける。第２ノズルの下端部に第３ノズル２２を上下にスライド可能に外嵌する。【選択図】図３
2007054398.tif 000002
【特許請求の範囲】
【請求項１】
台間球貸機の前面に前方に向かって緩やかに傾斜した第１ノズルを水平面内で回転自在であって上方に跳ね上げ可能に枢着すると共に、第２ノズルを該第１ノズルの先端部に折り曲げ可能となるように垂下状に枢着してなることを特徴とした台間球貸機の球供給管。
【請求項２】
折り曲げ時に球流路内に突出し遊技球の流出を阻止する球止片を第２ノズルの上端縁に設けたことを特徴とする請求項１に記載した台間球貸機の球供給管。
【請求項３】
第２ノズルの内壁面に遊技球に衝突しその流下速度を減速させる突部を形成したことを特徴とする請求項１または２に記載した台間球貸機の球供給管。
【請求項４】
第２ノズルの下端部に第３ノズルを上下にスライド可能に外嵌すると共に、該第３ノズルを任意高さで係止させるスライド係止機構を設けてなることを特徴とする請求項１〜３のいずれかに記載した台間球貸機の球供給管。
【発明の詳細な説明】
【技術分野】
【０００１】
この発明は、遊技媒体としてパチンコ球等の遊技球を使用する遊技機に貸し球を供給するために台間球貸機に設けられる球供給管の構造に関するものである。
【背景技術】
【０００２】
パチンコ球等の遊技球を遊技媒体とするパチンコ遊技機，雀球遊技機、或いはパチンコ球を遊技媒体とするスロットマシン（パロットと称される）等の遊技機では、その前面に設けられた球受皿に遊技に必要な貸し球を供給するため隣接状に設置された台間球貸機の前面に球供給管（ノズル）が突設されている。
そして例えば下記特許文献１〜５に示されたように、一般に球供給管は、遊技機前面の扉を開ける時や普段使用してない時に邪魔にならないように上方にはね上げて折り畳み得るように構成されている。
【特許文献１】実開平６−４８９号公報
【特許文献２】特開２００３−２１０８１７号公報
【特許文献３】特開平９−３０８７５９号公報
【特許文献４】特開平１０−８５４３２号公報
【特許文献５】実用新案登録第２５２５１３４号公報
【発明の開示】
【発明が解決しようとする課題】
【０００３】
ところで、昨今のパチンコ遊技機は遊技盤に液晶表示器等の大型のディスプレイが設けられることから、遊技盤をなるべく大きくする必要があり、そのために球受皿の高さが従来よりも大幅に低位置に設けられるようになった。このため上記球供給ノズルは、従来の寸法では球受皿に到達できなくなり、そのために上記特許文献１，２では、球供給ノズルの下端に延長ノズルを着脱自在に設けて対処することが考えられていた。
【０００４】
しかし、延長ノズルを設けると、折り畳んだ時にも該延長ノズルが前方に大きく突出することとなるので、邪魔となり危険な存在ともなるものであった。また、着脱自在に設けられた延長ノズルは非使用時に取り外しておくと紛失し易い欠点があった。
この発明は上記のような問題点を解消し得る台間球貸機の球供給管を提供しようとするものである。
【課題を解決するための手段】
【０００５】
そのために請求項１に記載した台間球貸機の球供給管の発明は、台間球貸機の前面に前方に向かって緩やかに傾斜した第１ノズルを水平面内で回転自在であって上方に跳ね上げ可能に枢着すると共に、第２ノズルを該第１ノズルの先端部に折り曲げ可能となるように垂下状に枢着してなることを特徴とする。
また請求項２に記載した発明は、上記球供給管において、折り曲げ時に球流路内に突出し遊技球の流出を阻止する球止片を第２ノズルの上端縁に設けたことを特徴とする。
また請求項３に記載した発明は、上記球供給管において、第２ノズルの内壁面に遊技球に衝突しその流下速度を減速させる突部を形成したことを特徴とする。
また請求項４に記載した発明は、上記球供給管において、第２ノズルの下端部に第３ノズルを上下にスライド可能に外嵌すると共に、該第３ノズルを任意高さで係止させるスライド係止機構を設けてなることを特徴とする。
【発明の効果】
【０００６】
請求項１に記載した発明では、第２ノズルを設けたことにより遊技機の球受皿が低位置にあっても遊技球がこぼれるおそれなくその球受皿上に誘導することができる。また、第２ノズルは折り曲げられるので、第１ノズルと共に前方に張り出すことなく小さく折り畳むことができる。
請求項２に記載した発明では、第２ノズルを折り曲げることにより遊技球の流出が阻止され遊技球がこぼれるのを防ぐことができる。
請求項３に記載した発明では、遊技球を減速させ球受皿に高速で落下するのを防ぐことから遊技球が球受皿上から飛散するようなことがない。
請求項４に記載した発明では、第３ノズルを任意にスライドさせることにより球受皿の上面との間隔を適宜調節でき、球こぼれを一層確実に防ぐことができる。
【実施例１】
【０００７】
図１は台間球貸機の据え付け状態を示した斜視図で、１はパチンコ遊技機、２はその前面に設けられた球受皿である。台間球貸機３はパチンコ遊技機１と隣接するように設置されるもので、４は貸球供給部、５ａはカード，紙幣等の装入口、５ｂは貸球操作ボタンである。また、図２はこの台間球貸機の球供給管の斜視図、図３はその側面図、図４はその縦断面図である。前記貸球供給部４は台間球貸機３の前面に突出状に形成され横長開口４ａが開設され、該開口中に水平面内で回転自在なるように回転体６が設けられ該回転体に口金７が設けられている。そして該口金７の前方突出端上縁に水平に設けられた支軸８に第１ノズル９を枢着することにより該第１ノズル９を前方に向かって緩やかに傾斜するように設けている。このため該第１ノズル９は支軸８を支点として上方に跳ね上げ可能であると共に、口金７が回転することで水平面内で約９０度の範囲にて回転自在なるように設けられる。なお、１０は第１ノズル９の基部上縁に設けられた球止片で、該球止片は該第１ノズルを上方に跳ね上げたとき口金７中に突出し遊技球の流出を阻止し得る。また、１１ａ，１１ｂは口金７の外側面に突設した小突起、１２は第１ノズル９の基部両側壁に開設され小突起１１ａが遊嵌している小孔で、該第１ノズル９が上方跳ね上げられたとき該小孔１２が小突起１１ｂに遊嵌し該第１ノズル９の跳ね上げ状態が保持される。
【０００８】
また、図５にも示されるように、第１ノズル９の先端部には鉤状に下方に垂下する筒部１３が一体に形成され、該筒部の外側面に第２ノズル１４の上端部に一体に形成された一対の円盤状の連結部１５ａ，１５ｂを重ねその重合部分にそれぞれ支軸１６ａ，１６ｂを貫挿し、該第２ノズル１４を鉛直面内で折り曲げ可能なるように垂下状に枢着している。１７は円盤状の連結部１５ａに形成された円弧状スリットで、該円弧状スリットの両端部拡径部１７ａ，１７ｃが形成され中間部に拡径部１７ｂが形成されている。また、図５に示したように、１８は筒部１３の外側面に突設された先丸ピン状の小突起で、該小突起の丸く形成された先端部を該円弧状スリット１７に圧接させている。このため、第２ノズル１４を支軸１６ａ，１６ｂを支点として回転させ小突起１８の先端部が拡径部１７ａ〜１７ｃに係合すると第２ノズル１４がその角度で安定位置し得るようにしている。なお、小突起１８の先端部が拡径部１７ｂに係合したときに第２ノズル１４は真直下方に垂下した状態となり、この係合によってその垂下状態が維持される。
【０００９】
また、図４に示すように、１９ａ，１９ｂは第２ノズル１４の上端縁に形成された球止片で、該球止片は第２ノズル１４を折り曲げた際に筒部１３中に突出し遊技球の流出を阻止し得る。また、２０ａ〜２０ｃは第２ノズル１４の相対する内壁面に交互に形成された突部で、該突部にネジ２１ａ〜２１ｃを貫挿することにより該第２ノズル１４が組み立てられていると共に、複数の突部２０ａ〜２０ｃによって球流路が蛇行状になり該第２ノズル１４中を流下する遊技球が該突部に衝突することにより該遊技球の流下速度が減速されるようにしている。
【００１０】
一方、２２は第２ノズル１４の下端部に上下にスライド可能に外嵌された第３ノズル、２３は該第３ノズルを任意高さで係止させられるようにするスライド係止機構である。スライド係止機構２３は第３ノズル２２の側壁に縦長孔２４を形成し該縦長孔の内縁にラック歯２５を形成すると共に、第２ノズル１４の下端部に該ラック歯２５に係合する弾性片２６を一体に形成してなり、第３ノズル２２を上下にスライドさせたとき該弾性片２６がラック歯２５に適宜係合することで該第３ノズルが落下することなく任意高さで止められるようにしている。
【００１１】
このように構成した台間球貸機の球供給管では、図１に示したように、第１ノズル９を水平面内で遊技機１側に回転させ、球受皿２の真上に第２ノズル１４を位置させ第３ノズル２２を該球受皿の高さに合わせて垂下させ、この状態で貸球操作ボタン５ｂを操作し口金７より遊技球を流出させることにより、該遊技球は第１ノズル９，第２ノズル１４，第３ノズル２２を経て球受皿２に供給される。該第３ノズル２２の下端開口は該球受皿２の高さに合わせて該第３ノズル２２を上下にスライドさせることにより適宜設定できると共に、第２ノズル１４中を流下する遊技球は突部２０ａ〜２０ｃに衝突し減速されることから、遊技球が球受皿２の上面に高速で衝突し飛散するようなことがない。こうして台間球貸機から流出した遊技球はこぼれることなく球受皿２に誘導することができる。従って、球受皿２が低位置にある昨今の遊技機に対しても、或いは従来からの遊技機に対しても台間球貸機の遊技球をこぼれることなく確実に供給することができる。
【００１２】
また、この球供給管は、非使用時には、第１ノズル９を図６に示したように上方に跳ね上げると同時に第２ノズル１４を屈折させ該第１ノズルに重ね合わせることにより、小さく折り畳まれるので、遊技機１前面の扉を開ける際の邪魔にならないことは勿論、遊技者が着席・離席する際、或いは視界の邪魔となるおそれがない。
【産業上の利用可能性】
【００１３】
この発明は上記実施例に示したパチンコ遊技機に限らず、パチンコ球等の遊技球を遊技媒体とする雀球遊技機、スロットマシン等の遊技機に台間球貸機から遊技球を供給する球供給管に適用することができる。
【図面の簡単な説明】
【００１４】
【図１】この発明に係る遊技機と台間球貸機の斜視図。
【図２】この発明に係る台間球貸機の球供給管の斜視図。
【図３】この発明に係る台間球貸機の球供給管の側面図。
【図４】この発明に係る台間球貸機の球供給管の縦断面図。
【図５】図３のＡ−Ａ線断面図。
【図６】この発明に係る台間球貸機の球供給管を折り畳んだときの側面図。
【符号の説明】
【００１５】
１                遊技機
２                球受皿
３                台間球貸機
４                貸球供給部
７                口金
８                支軸
９                第１ノズル
１０              球止片
１３              筒部
１４              第２ノズル
１５ａ，１５ｂ    連結部
１６ａ，１６ｂ    支軸
１９ａ，１９ｂ    球止片
２０ａ〜２０ｃ    突部
２２              第３ノズル
２３              スライド係止機構
【図１】
2007054398.tif 000003
【図２】
2007054398.tif 000004
【図３】
2007054398.tif 000005
【図４】
2007054398.tif 000006
【図５】
2007054398.tif 000007
【図６】
2007054398.tif 000008